(57)【特許請求の範囲】
【請求項１】
浴槽の浴水を循環させて浄化する浴水浄化装置において、
浴水の交換時期を知るために所定時間経過を計測する浴水交換タイマと、
該浴水交換タイマにより所定時間経過が検知されたら、浴水交換を促す表示をおこなう浴水交換表示装置と、
浴水浄化装置が運転停止され、所定時間経過後運転再開されたことを検知する手段と、
該検知する手段による検知により、前記浴水交換タイマをクリアする手段と、
を備えたことを特徴とする浴水浄化装置。
【請求項２】
浴槽の浴水を循環させて浄化する浴水浄化装置において、
浴水の交換時期を知るために所定時間経過を計測する浴水交換タイマと、
該浴水交換タイマにより所定時間経過が検知されたら、浴水交換を促す表示をおこなう浴水交換表示装置と、
浴水浄化装置の電源がオフされ、再度電源が投入されて運転が再開されたことを検知する手段と、
該検知する手段による検知により、前記浴水交換タイマをクリアする手段と、
を備えたことを特徴とする浴水浄化装置。
【請求項３】
浴槽の浴水を循環させて浄化する浴水浄化装置において、
浴水の交換時期を知るために所定時間経過を計測する浴水交換タイマと、
該浴水交換タイマにより所定時間経過が検知されたら、浴水交換を促す表示をおこなう浴水交換表示装置と、
前記浴水浄化装置内の管路を洗浄するための管路洗浄手段と、
該管路洗浄手段による管路洗浄運転が終了したことを検知する手段と、
該検知する手段による検知により、前記浴水交換タイマをクリアする手段と、
を備えたことを特徴とする浴水浄化装置。
【請求項４】
管路洗浄の時期を知るために所定時間経過を計測する管路洗浄タイマと、
該管路洗浄タイマにより所定時間が検知されたら、管路洗浄手段の駆動を促す表示を行う管路洗浄表示装置と、
を更に備えた請求項３に記載の浴水浄化装置。
【発明の詳細な説明】
【０００１】
【発明の属する技術分野】
この発明は、浴水浄化装置に関する。
【０００２】
【従来の技術】
浴槽の浴水をポンプなどにより循環させ、濾過装置や殺菌装置を通過させて浴水の浄化を行う浴水浄化装置が近年普及している。
【０００３】
【発明が解決しようとする課題】
このような浴水浄化装置においても、所定時間毎に浴水を全交換することが望ましいが、交換時期を管理するのはユーザにとって負担である。
また、浄化装置内の管路自体を洗浄する機構を備えた装置が本願出願人により研究され提案されているが、この管路洗浄も所定時間毎に行うのが望ましい。しかし、この時期管理もユーザにとって負担が大きい。
本発明は上記従来技術の欠点を改善することを目的とする。
【０００４】
【課題を解決するための手段】
上記目的を達成するために本発明は、浴槽の浴水を循環させて浄化する浴水浄化装置において、浴水の交換時期を知るために所定時間経過を計測する浴水交換タイマと、該浴水交換タイマにより所定時間経過が検知されたら、浴水交換を促す表示をおこなう浴水交換表示装置と、浴水浄化装置が運転停止され、所定時間経過後運転再開されたことを検知する手段と、該検知する手段による検知により、前記浴水交換タイマをクリアする手段と、を備えたことを特徴とする。
また請求項２の発明は、浴槽の浴水を循環させて浄化する浴水浄化装置において、浴水の交換時期を知るために所定時間経過を計測する浴水交換タイマと、該浴水交換タイマにより所定時間経過が検知されたら、浴水交換を促す表示をおこなう浴水交換表示装置と、浴水浄化装置の電源がオフされ、再度電源が投入されて運転が再開されたことを検知する手段と、該検知する手段による検知により、前記浴水交換タイマをクリアする手段と、を備えたことを特徴とする。
更に請求項３の発明は、浴槽の浴水を循環させて浄化する浴水浄化装置において、浴水の交換時期を知るために所定時間経過を計測する浴水交換タイマと、該浴水交換タイマにより所定時間経過が検知されたら、浴水交換を促す表示をおこなう浴水交換表示装置と、前記浴水浄化装置内の管路を洗浄するための管路洗浄手段と、該管路洗浄手段による管路洗浄運転が終了したことを検知する手段と、該検知する手段による検知により、前記浴水交換タイマをクリアする手段と、を備えたことを特徴とする。
上記請求項３の発明において、管路洗浄の時期を知るために所定時間経過を計測する管路洗浄タイマと、該管路洗浄タイマにより所定時間が検知されたら、管路洗浄手段の駆動を促す表示を行う管路洗浄表示装置と、を更に備えることも可能である。
【０００５】
【発明の実施の形態】
以下本発明の実施の形態を図面に基づいて説明する。
【０００６】
最初に図２乃至図４により、装置全体の説明を行う。
図２に示すように浴槽の浴水をポンプ１２により汲み上げて、上側のＴバルブを経由してヒータ１３に送り、ここで所定温度に加温して殺菌ランプを通して殺菌する。そして、タンクに浴水を送り、ここで濾過した後にＬバルブと下側のＴバルブを介して浴水を浴槽に戻す。この動作を循環して、浴水の殺菌及び濾過を行うようになっている。
【０００７】
管路洗浄の際には、図３に示すようにポンプ１２からＴバルブを介してヒータ１３に浴水が送られ、殺菌ランプ、タンクを経由してＬバルブから再びポンプ１２へと循環するようになっている。ヒータ１３で浴水は所定温度（例えば７０゜Ｃ）以上に加温されこの熱水が上記経路を循環することにより、装置内部の管路洗浄を実行する。
浴水が上記所定温度以上になって所定時間循環し、熱洗浄が終了すると、この循環熱水は系外に排水されるようになっている。
【０００８】
上記した浴水浄化装置は図１に示すように制御装置１を有しており、ここで各制御を実行している。
制御装置１は、電源キー８及び運転キー７の操作により運転を開始或いは停止するようになっており、通常運転時はポンプ１２、ヒータ１３、バルブ１４等を制御して図２に示す浄化モードの運転を実行するようになっている。
また管路洗浄キー６がユーザにより操作されると、各バルブ１４を図３に示すように設定し、ヒータ１３を制御して所定温度まで浴水を加熱して上記したように管路の循環洗浄を行わせるようになっている。
【０００９】
制御装置１には更に浴水交換タイマ２と管路洗浄タイマ３が設けられており、浴水交換タイマ２において浴水の交換時期のカウントを行い、管路洗浄タイマ３において管路洗浄時期のカントを行うようになっている。浴水の交換時期として例えば４週間が設定されている。また、管路洗浄時期として例えば６ヶ月が設定されている。
【００１０】
浴水交換タイマ２が設定時期までカウントアップすると、制御装置１は浴水交換表示装置４にその旨の表示を行い、ユーザに浴水の交換を促すようになっている。
同様に管路洗浄タイマ３が設定時期までカウントアップすると、制御装置１は管路洗浄表示装置５にその旨の表示を行い、ユーザに管路洗浄を促すようになっている。
【００１１】
浴水を交換する際には、運転キー７を押して運転を停止し、浴水を交換した後運転キー７を押して運転を再開する。
制御装置１は浴水交換表示装置４に浴水交換表示がされている時、運転の停止と、所定時間後の運転再開を検知して、該検知がなされた時に、クリア信号を送って浴水交換タイマ２をクリアしてカウントを最初から行わせるようになっている。
また浴水交換に際して、運転を停止して更に電源キー８を押して電源をオフとし、浴水を交換後再度電源キー８を押して電源を復帰させて運転キー７を押して運転を再開させることもある。制御装置１はこの一連の動作も検知するようになっており、該検知によっても浴水交換タイマ２をクリアしてカウントを最初から行わせるようになっている。
以上の構成及び動作によりユーザは浴水交換時期の管理を行う必要がなくなる。また、浴水交換を行うことにより、これが検知されて浴水交換タイマ２がクリアされるから、常に適正な浴水交換時期の表示がなされる。また、浴水交換表示を消すためのキー等を設ける必要がない。
【００１２】
制御装置１は、管路洗浄キー６の操作により管路洗浄を実行し、管路洗浄が終了したら、管路洗浄タイマ３にクリア信号を送ってクリアし、カウントを最初から行わせるように構成されている。
更に制御装置１は管路洗浄の終了により、前記浴水交換タイマ２のクリアも行うようになっている。これは、管路洗浄後は浴水の交換が行われるためである。
【００１３】
図４により動作を説明する。
制御装置１は管路洗浄タイマ３と浴水交換タイマ２のタイムアップを検知し（ステップＳ１、３）、タイムアップがあるとそれぞれ管路洗浄表示装置５、浴水交換表示装置４にその旨の表示を行わせる（ステップＳ２、４）。
管路洗浄キー６の操作により管路洗浄が行われ、管路洗浄が終了すると（ステップＳ５）、制御装置１は管路洗浄タイマ３をクリアする（ステップＳ６）と共に浴水交換タイマ２をクリアする（ステップＳ９）。
また、装置の運転が所定時間以上（例えば１０分）停止し、その後再開されたことを検知すると（ステップＳ７）、浴水の交換がなされたと判断し浴水交換タイマ２をクリアする（ステップＳ９）。同様に電源がオフされ、その後電源が再投入されて運転が再開されたことを検知すると（ステップＳ８）、浴水の交換がなされたと判断し浴水交換タイマ２をクリアする（ステップＳ９）。
【００１４】
以上の構成により、ユーザは浴水の交換時期を管理する必要がなく、適正な時期に交換の必要を知ることができる。また、浴水を交換した場合や管路洗浄によりタイマがクリアされるから、常に正しい時期に表示がなされる。
更に、管路洗浄時期の管理も不要であり、適正な時期に表示がなされる等の効果がある。
【００１５】
【発明の効果】
以上説明したように本発明の浴水浄化装置によれば、浴水の交換時期をユーザが管理する必要がなく、常に正しい交換時期を知ることができる効果がある。
【図面の簡単な説明】
【図１】本発明の一実施形態を示す機能ブロック図。
【図２】本発明の一実施形態の装置の全体を示す概略図。
【図３】本発明の一実施形態における管路浄化モードの説明図。
【図４】本発明の一実施形態の動作を示すフローチャート図。
【符号の説明】
１：制御装置、２：浴水交換タイマ、３：管路洗浄タイマ、４：浴水交換表示装置、５：管路洗浄表示装置、６：管路洗浄キー、７：運転キー、８：電源キー、１２：ポンプ、１３：ヒータ、１４：バルブ。
【図１】
0003771680.tif 000002
【図２】
0003771680.tif 000003
【図３】
0003771680.tif 000004
【図４】
0003771680.tif 000005